(57)【要約】【課題】製版の基本版と差替え版との検版作業のミスの排除と、効率の向上を実現する検版装置を提供する。【解決手段】検版装置１のコンピュータ３は、入力部５から、製版の基本版と差替え版の情報の取得を行い、データ記憶部７から前記基本版と差替え版の画像ファイルデータを抽出する。また、基本版に対する差替え版の組み合わせを順次変えて、データの比較検版を自動的に行い、組み合わせ毎に比較検版結果を表示又は印刷出力する。【選択図】　図１
2004106189.tif 000002
【特許請求の範囲】
【請求項１】
コンピュータと、入力部と、記憶部と、表示部とからなる印刷物の検版装置であって、
前記コンピュータは、
前記入力部から、少なくとも１つの基本版の情報と、前記基本版に対し一部のデータが差替えられている少なくとも１つの差替え版の情報とを入力する、差替え指示情報入力手段と、
前記差替え指示情報を基に、前記記憶部から比較用データを抽出する手段と、
前記比較用データを順次比較して差異を抽出する手段と、
前記比較結果を順次、前記表示部に出力する出力手段と、
を、具備することを特徴とする検版装置。
【請求項２】
前記差替え指示情報は、各店舗毎の、印刷製版の基本版又は差替え版の種別と、前記基本版又は前記差替え版のファイル名等であることを特徴とする請求項１記載の検版装置。
【請求項３】
前記比較用データは、１つの基本版のファイルと、前記基本版の一部のデータが差替えられている少なくとも１つの差替え版のファイルであり、前記差替え情報を基に、前記記憶部から抽出されることを特徴とする請求項１記載の検版装置。
【請求項４】
前記差異を抽出する手段は、１つの基本版のファイルと、前記基本版の一部のデータが差替えられている１つの差替え版のファイルとのデータを比較して、差異を抽出することを特徴とする請求項１記載の検版装置。
【請求項５】
前記出力手段は、表示装置又は印刷装置であることを特徴とする請求項１記載の検版装置。
【請求項６】
コンピュータと、入力部と、記憶部と、表示部とからなる印刷物の検版装置において、
前記入力部から、少なくとも１つの基本版の情報と、前記基本版に対し一部のデータが差替えられている少なくとも１つの差替え版の情報とを入力する、差替え指示情報入力工程と、
前記差替え指示情報を基に、前記記憶部から比較用データを抽出する工程と、
前記比較用データを順次比較して差異を抽出する工程と、
前記比較結果を順次、前記表示部に出力する出力工程と、
を、具備することを特徴とする検版方法。
【請求項７】
前記差替え指示情報は、各店舗毎の、印刷製版の基本版又は差替え版の種別と、前記基本版又は前記差替え版のファイル名等であることを特徴とする請求項６記載の検版方法。
【請求項８】
前記比較用データは、１つの基本版のファイルと、前記基本版の一部のデータが差替えられている少なくとも１つの差替え版のファイルであり、前記差替え情報を基に、前記記憶部から抽出されることを特徴とする請求項６記載の検版方法。
【請求項９】
前記差異を抽出する工程は、１つの基本版のファイルと、前記基本版の一部のデータが差替えられている１つの差替え版のファイルとのデータを比較して、差異を抽出することを特徴とする請求項６記載の検版方法。
【請求項１０】
前記出力工程は、前記比較結果を表示装置又は印刷装置から出力する工程であることを特徴とする請求項６記載の検版方法。
【請求項１１】
コンピュータを、請求項１に記載の検版装置として機能させるプログラム。
【請求項１２】
コンピュータを、請求項１に記載の検版装置として機能させるプログラムを記録した記録媒体。
【発明の詳細な説明】
【０００１】
【発明の属する技術分野】
本発明は、店舗のチラシやカタログ、パンフレット、カレンダ等を作成し、チラシのレイアウトの一部を差替えて、異なる店舗用の差替え版を作成する時、差替え版を検査する検版装置に関する。
【０００２】
【従来の技術】
多数の店舗に使用されるチラシやカタログ、パンフレット、カレンダ類を作成する場合に、レイアウト作成手段によって作成された基本パターンに対し、店名や一部の画像、価格等の差替えパターンだけをレイアウト手段上で配置を差替えて異なる店舗用のチラシやカタログ、パンフレット、カレンダ類を作成することが一般的に行われている。
【０００３】
また、差替え作業の正確性を検査するため、基本版と差替え後の版とのデジタルデータを比較して、差異を抽出する手段を用いることにより作業が正確に行われたかどうかを判断することも行われている。
【０００４】
この差異抽出は、オペレータが、基本版とその差替え版との組み合わせを手書きの指示書などから読み取り、それぞれの版に相当するデジタルデータを、データ保管手段の中から検索して抽出する。更に、オペレータは、基本版とその差替え版のデジタルデータを適切なデータに変換（ファイル名の変換等）して、デジタルデータを実際に比較し差異を抽出する比較検版手段に入力する。更にオペレータが、比較検版手段を操作し、版の検査を行っていた。
【０００５】
【発明が解決しようとする課題】
しかしながら、例えば同じ種類のチラシにおいても複数の基本版が存在し、それぞれの基本版に対してそれぞれ異なる差替え版が存在する場合等では、オペレータが比較の組み合わせを抽出する際にミスが起こりやすい。また、オペレータによる検版作業は時間と手間がかかる。
【０００６】
本発明は、このような問題に鑑みてなされたもので、その目的とするところは、製版の基本版と差替え版との検版作業のミスの排除と、効率の向上である。
【０００７】
【課題を解決するための手段】
前述した目的を達成するために第１の発明は、コンピュータと、入力部と、記憶部と、表示部とからなる印刷物の検版装置であって、前記コンピュータは、前記入力部から、少なくとも１つの基本版の情報と、前記基本版に対し一部のデータが差替えられている少なくとも１つの差替え版の情報とを入力する、差替え指示情報入力手段と、前記差替え指示情報を基に、前記記憶部から比較用データを抽出する手段と、前記比較用データを順次比較して差異を抽出する手段と、前記比較結果を順次、前記表示部に出力する出力手段とを、具備することを特徴とする検版装置である。
【０００８】
差替え指示情報は、各店舗毎の、印刷製版の基本版又は差替え版の種別と、基本版又は差替え版のファイル名等である。
印刷製版の基本版とは、例えば店舗のチラシ用印刷製版である。１つの基本版に対して複数の差替え版が作成される。
差替え版とは、基本版を基にして一部のデータ、例えば店名、商品の価格、売り出し期間、商品の規格等を差替えたものである。
比較用データは、１つの基本版のファイルと、基本版の一部のデータが差替えられている少なくとも１つの差替え版のファイルであり、差替え情報を基に、記憶部から抽出される。比較用データは、組み合わせを変えて順次、記憶部から抽出される。
差異を抽出する手段は、１つの基本版のファイルと、基本版の一部のデータが差替えられている１つの差替え版のファイルとのデータを比較して、差異を抽出する手段である。
出力手段は、表示装置又は印刷装置であり、比較検版結果を出力する。
比較検版結果は、例えば比較した基本版ファイルと差替え版ファイルとの差異の部分を濃く表示し、同じ部分をコントラストが弱い半調表示にする。
【０００９】
第１の発明の検版装置は、コンピュータが、入力部から少なくとも１つの基本版の情報と、基本版の一部のデータが差替えられている少なくとも１つの差替え版の情報とを入力し、差替え指示情報を基に記憶部から比較用データを抽出して順次比較を行い、比較結果を出力する。
【００１０】
第２の発明は、コンピュータと、入力部と、記憶部と、表示部とからなる印刷物の検版装置において、前記入力部から、少なくとも１つの基本版の情報と、前記基本版の一部のデータが差替えられている少なくとも１つの差替え版の情報とを入力する、差替え指示情報入力工程と、前記差替え指示情報を基に、前記記憶部から比較用データを抽出する工程と、前記比較用データを順次比較して差異を抽出する工程と、前記比較結果を順次、前記表示部に出力する出力工程とを、具備することを特徴とする検版方法である。
【００１１】
第２の発明の検版方法は、コンピュータが、入力部から少なくとも１つの基本版の情報と、基本版の一部のデータが差替えられている少なくとも１つの差替え版の情報とを入力し、差替え指示情報を基に記憶部から比較用データを抽出して順次比較を行い、比較結果を出力する。
【００１２】
第３の発明は、コンピュータを、請求項１に記載の検版装置として機能させるプログラムである。
【００１３】
第３の発明のプログラムは、請求項１記載の検版装置を機能させるものであり、このプログラムをネットワークを介して流通させることもできる。
【００１４】
第４の発明は、コンピュータを、請求項１に記載の検版装置として機能させるプログラムを記録した記録媒体である。
【００１５】
第４の発明の記録媒体は、請求項１記載の検版装置を機能させるプログラムを記憶しており、この記録媒体を流通させることもでき、またこのプログラムをネットワークを介して流通させることもできる。
【００１６】
【発明の実施の形態】
以下、図面に基づいて本発明の実施の形態を詳細に説明する。図１は、本発明の実施の形態に係る検版装置１の構成を示す図である。検版装置１は、コンピュータ３と、入力部５と、データ記憶部７と、表示部９等で構成される。
【００１７】
入力部５は、版の差替え情報を入力する機能を有する。例えば複数の店舗のチラシ作成を行う際、複数のチラシの製版の基本版と、それぞれの基本版に対して差替え版を準備する場合、各店舗ごとの版の種類と、この版のファイル名等を予め差替え情報として準備しておく。入力部５は、差替え情報を記録したフレキシブルディスクやハードディスク等の記録媒体でもよいし、キーボード等の入力装置であってもよい。
【００１８】
ここで、差替え版とは、例えばチラシのある基本版を基にして、店舗名や住所電話番号等が異なるもの、売り出しの日にちや曜日が異なるもの、品目が異なるもの、同じ品目でも値段が異なるもの、仕様が異なるもの、レイアウトが異なるもの等が含まれる版である。
【００１９】
データ記憶部７は、製版の出力前のデータを記憶する装置であり、製版の複数の基本版、及びそれぞれの差替え版の画像データが記録されている。例えば画像データは、ＴＩＦＦ（Ｔａｇｇｅｄ　Ｉｍａｇｅ　Ｆｉｌｅ　Ｆｏｒｍａｔ）形式の画像形式で記憶されている。
【００２０】
表示部９は、検版の結果を表示するＣＲＴ等のディスプレイ、又は検版の結果を印刷出力する印刷装置である。検版の結果とは、例えば印刷装置で基本版と、差替え版との画像の異なる部分を重ねて濃く印刷し、同じ部分を半調印刷する。半調とは、コントラストを弱く仕上げる印刷である。
【００２１】
コンピュータ３は、入力部５から製版の基本版及び差替え版等の差替え情報の取得１０１、データ記憶部７から基本版及び差替え版の画像データの抽出１０２、データの比較検版１０３、検版結果表示１０４を行う。詳細は、後述する。
【００２２】
図２に、差替え情報２１の例を示す。差替え情報２１は、図１の入力部５（例えばフレキシブルディスク等の記録媒体）に記憶される。図２の差替え情報２１は、複数の店舗のチラシを作成する場合の例である。
【００２３】
各店名１３は、整理Ｎｏ．１１で区別される。また、各店舗毎に、チラシの製版の基本版１５のパターン（Ａ、Ｂ、Ｃ・・）、或いは差替え版１７のパターン（Ａ、Ｂ、Ｃ・・）が指定される。また、各店舗毎に対応する製版の版のファイル名１９が記憶される。製版の版のファイルの実体は、前述のデータ記憶部７に記憶されている。
【００２４】
図２の差替え情報２１の場合には、００１青森本店の製版データを基本版Ａ（ファイル名　００１＿青森本店）に指定し、それを基にした差替え版Ａを、００２青森南店（ファイル名　００２＿青森南）、００３青森東店（ファイル名　００３＿青森東）、００６宮城本店（ファイル名　００６＿宮城本店）に指定している。
【００２５】
尚、基本版Ａを基にした差替え版Ａであっても、００２青森南店（ファイル名００２＿青森南）と、００３青森東店（ファイル名　００３＿青森東）とは、差し替え内容は異なる。
【００２６】
同様にして、００４岩手本店の製版データを基本版Ｂ（ファイル名　００４＿岩手本店）に指定し、それを基にした差替え版Ｂを００５岩手西店（ファイル名００５＿岩手西）、００７山形本店（ファイル名　００７＿山形本店）に指定している。
【００２７】
図２のような差替え情報２１を事前に準備しておくことにより、検版のためにオペレータがそれぞれの組み合わせを指示書から読み取る処理を削減できるため、作業ミスを排除し、効率のよい検版作業を行うことを可能にする。
【００２８】
図３は、データ記憶部７を示す。データ記憶部７には、図２に示すファイル名１９に対応する、製版の画像ファイルの実体が記憶されている。青森本店用のチラシの製版ファイルは比較検版に適したファイル形式、例えばＴＩＦＦ形式「００１＿青森本店．ｔｉｆ」で記録されている。或いは、ファイル形式が比較検版に適していない場合には、コンピュータ３がデータ記憶部７からファイルを読み出した後で、該ファイルを比較検版に適したファイル形式に変換することもできる。
【００２９】
図４は、検版結果の印刷の例を示す。即ち、製版の基本版と第１の差替え版のファイルとの比較検版結果２３、第２の差替え版のファイルとの比較検版結果２５、第３の差替え版のファイルとの比較検版結果２７である。比較検版結果２３は、基本版と差替え版との画像の差の部分２９、３１、３３、３７等が濃く印刷され、その他の同じ画像データの部分３５は、半調で印刷される。
【００３０】
図４では、画像の差の部分２９、３１、３３、３７等の差替え版の画像のみが濃く印刷されているが、基本版と差替え版の画像を重ねて濃く印刷するようにしてもよい。
【００３１】
比較検版結果２３は、基本版との差異、即ち、例えば店舗名や電話番号３７、商品３１、商品の仕様３３、日にちと曜日２９等が濃く印刷されている。その他、基本版と同じ部分３５は、図４上では空白になっているが、コントラストの弱い半調で印刷される。
【００３２】
オペレータは、印刷された比較検版結果２３を目視により検査して、差替えが正確に行われているかどうかを確認する。
【００３３】
次に、図５のフローチャート、及び図１から図４を用いて、検版装置１の処理手順を説明する。
【００３４】
まず、差替え情報２１を、入力部５からコンピュータ３に入力する（ステップ５０１）。即ち、図２に示す差替え情報２１のファイル等を、入力部５から取得する。入力部５とはリムーバブルな記録媒体であってもよいし、キーボード等の入力装置であってもよい。或いは、入力部５はコンピュータ３の記憶装置（ハードディスク等）であってもよい。差替え情報２１には、チラシ製版のための何種類かの基本版と、それぞれの基本版に対する差替え版のグループ分け（Ａ、Ｂ、Ｃ・・）、及び対応する店舗、ファイル名等の情報が含まれる。
【００３５】
次に、比較検版する差替え情報を、前述の差替え情報２１ファイルから取得する（ステップ５０２、図１の１０１）。即ち、グループＡの基本版と、これを基にした差替え版を比較検版する場合、差替え情報２１ファイルの中から、グループＡの基本版「００１＿青森本店」、グループＡの差替え版「００２＿青森南」、「００３＿青森東」、「００６＿宮城本店」の情報５０３が取得される。
【００３６】
コンピュータ３は、データ記憶部７から、前述の比較検版する差替え情報５０３を基に、グループＡの基本版の基本データ、差替え版の差替えデータを抽出する（ステップ５０４、図１の１０２）。即ち図３に示すデータ記憶部７から、比較検版を行う製版画像ファイルを抽出する。ここでは、ファイル名「００１＿青森本店．ｔｉｆ」、「００２＿青森南．ｔｉｆ」、「００３＿青森東．ｔｉｆ」、「００６＿宮城本店．ｔｉｆ」の画像ファイルが抽出される。
【００３７】
尚、データ記憶部７に保管されているファイルは、必要に応じて、データの比較検版に適したデータファイルに変換される。
【００３８】
次に、コンピュータ３は、比較すべき２つのデータ（即ち、基本版と差替え版）を組み合わせて、１組ずつデータの比較検版を行う（ステップ５０５、図１の１０３）。
【００３９】
比較検版後、それぞれの比較検版の結果を、ディスプレイ等の表示部９に表示する（ステップ５０９、図１の１０４）。或いは、比較検版の結果を印刷出力する。
【００４０】
例えば、１回目の比較検査５０６は、「００１＿青森本店．ｔｉｆ」３０１と、「００２＿青森南．ｔｉｆ」３０２の画像ファイルとの検版である。比較検版の結果は、図４の比較検版結果２３として印刷出力される。
【００４１】
次に２回目の比較検査５０７は、「００１＿青森本店．ｔｉｆ」３０１と、「００３＿青森東．ｔｉｆ」３０３の画像ファイルとの検版である。比較検版の結果は、図４の比較検版結果２５として印刷出力される。
【００４２】
次に３回目の比較検査５０８は、「００１＿青森本店．ｔｉｆ」３０１と、「００６＿宮城本店．ｔｉｆ」３０６の画像ファイルとの検版である。比較検版の結果は、図４の比較検版結果２７として印刷出力される。
【００４３】
オペレータは、比較検版結果２３、２５、２７等を見て、差替え作業が正確に行われたかどうかを目視で検査する。
【００４４】
このように、本実施の形態によれば、比較検版するデータを、差替え情報２１ファイルを基にデータ記憶部７から抽出し、必要に応じてデータ変換（ファイル名等）し、データの比較検版を行って比較検版結果を出力する過程を、人手を介さないで自動的に行うことができるので、データ抽出時のミスを排除し、作業効率の向上を実現することができる。
【００４５】
尚、本実施の形態では、基本版と差替え版との画像の差異の部分を濃く表示し、同じ部分を半調で表示したが、差異の領域が広い場合には、逆に差異の部分を半調で表示し、同じ部分を濃く表示するようにしてもよい。
【００４６】
また、差替え版の画素から、基本版の画素を減算処理し、その値がプラスの部分を赤で表示し、マイナスの部分を緑で表示するようにしてもよい。
【００４７】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【００４８】
【発明の効果】
以上、詳細に説明したように本発明によれば、製版の基本版と差替え版との検版作業のミスの排除と、効率の向上を実現する検版装置１を提供することができる。
【図面の簡単な説明】
【図１】本発明の実施の形態に係る検版装置１の構成を示す図
【図２】差替え情報２１を示す図
【図３】データ記憶部７を示す図
【図４】比較検版結果を示す図
【図５】検版装置１の処理手順を示す図
【符号の説明】
１・・・　検版装置
３・・・　コンピュータ
５・・・　入力部
７・・・　データ記憶部
９・・・　表示部
１１・・・　整理Ｎｏ．
１３・・・　店名
１５・・・　基本版
１７・・・　差替え版
１９・・・　ファイル名
２１・・・　差替え情報
２３、２５、２７・・・　比較検版結果
２９、３１、３３、３７・・・　差異表示
３５・・・　半調表示
【図１】
2004106189.tif 000003
【図２】
2004106189.tif 000004
【図３】
2004106189.tif 000005
【図４】
2004106189.tif 000006
【図５】
2004106189.tif 000007